(57)【特許請求の範囲】
【請求項１】
記録紙に印字を行うプリントヘッドと、
前記記録紙を搬送するプラテンローラと、
前記プリントヘッド及び前記プラテンローラが設置される、フレーム板部と、前記フレーム板部の両側に設けられたフレーム側面とを有するフレームと、
前記フレーム板部に、前記フレーム側面の外側に向けて回動可能に取り付けられる、前記プラテンローラを支持するリリースレバーと、
を有し、
前記プラテンローラは、前記フレーム側面に形成されたフレーム溝及び前記リリースレバーにより支持され、
前記リリースレバーを前記フレーム側面に対して外側に広がる方向に回動させることにより、前記フレーム溝より前記プラテンローラを外すことができることを特徴とするプリンタ装置。
【請求項２】
前記リリースレバーは、一方のフレーム側面の外側に向けて回動可能に取り付けられる第１のリリースレバーと、他方のフレーム側面の外側に向けて回動可能に取り付けられる第２のリリースレバーと、を含み、
前記プラテンローラは、前記第１のリリースレバーにより一端が支持され、前記第２のリリースレバーにより他端が支持されることを特徴とする、請求項１に記載のプリンタ装置。
【請求項３】
記録紙に印字を行うプリントヘッドと、
前記記録紙を搬送するプラテンローラと、
前記プリントヘッド及び前記プラテンローラが設置される、フレーム板部と、前記フレーム板部の両側に設けられたフレーム側面とを有するフレームと、
前記プラテンローラを支持する、前記フレーム側面に対して外側にスライド可能に取り付けられるリリースレバーと、
前記プラテンローラは、前記フレーム側面に形成されたフレーム溝及び前記リリースレバーにより支持され、
前記リリースレバーを前記フレーム側面に対して外側にスライドさせることにより、前記フレーム溝より前記プラテンローラを外すことができることを特徴とするプリンタ装置。
【請求項４】
前記リリースレバーは、一方のフレーム側面の外側に向けてスライド可能に取り付けられる第１のリリースレバーと、他方のフレーム側面の外側に向けてスライド可能に取り付けられる第２のリリースレバーと、を含み、
前記プラテンローラは、前記第１のリリースレバーにより一端が支持され、前記第２のリリースレバーにより他端が支持されることを特徴とする、請求項３に記載のプリンタ装置。
【請求項５】
前記リリースレバーにはスライド軸部が設けられ、
前記フレーム側面には、前記スライド軸部がはめ込まれる開口部が形成されていることを特徴とする、請求項３または４に記載のプリンタ装置。
【請求項６】
前記スライド軸部は、一つのフレーム側面に複数設けられていることを特徴とする請求項５に記載のプリンタ装置。
【請求項７】
前記スライド軸部の断面形状及び前記開口部の形状は、円形ではないことを特徴とする請求項５または６に記載のプリンタ装置。
【請求項８】
前記フレームと前記プリントヘッドとの間に設けられ、復元力で前記プリントヘッドを前記プラテンローラに向けて押圧するバネを有し、
前記バネの復元力の働く方向に、前記フレーム溝が開いていることを特徴とする請求項１から７のいずれかに記載のプリンタ装置。
【請求項９】
前記リリースレバーには、前記リリースレバーを操作するレバーキャップが設けられており、
前記レバーキャップが設けられた前記リリースレバーの部分は、前記フレーム側面よりも外側に曲げられていることを特徴とする請求項１から８のいずれかに記載のプリンタ装置。
【発明の詳細な説明】
【技術分野】
【０００１】
本発明は、プリンタ装置に関する。
【背景技術】
【０００２】
レシート等を発行するプリンタは、商店等のレジスタ、銀行等におけるＡＴＭ（Automated Teller Machine）やＣＤ（Cash dispenser）等の用途に幅広く用いられている。レシート等を発行するプリンタは、プラテンローラとサーマルヘッドとの間に挟まれた記録紙となる感熱紙をプラテンローラを回転させることにより搬送しながら、サーマルヘッドにより記録紙に印字等を行う。印字のなされた記録紙は、カッターにより所定の長さで切断される。カッターでは、固定刃と可動刃とを有しており、可動刃が固定刃が設けられている側に動くことにより、固定刃と可動刃との間に挟まれた記録紙が切断される。
【先行技術文献】
【特許文献】
【０００３】
【特許文献１】特開２００３−１９８４５号公報
【発明の概要】
【発明が解決しようとする課題】
【０００４】
ところで、このようなサーマルヘッドを用いたプリンタ装置においては、メンテナンスやロール状に巻かれた記録紙を補充する際に、サーマルヘッドからプラテンローラが離される。
【０００５】
通常、プラテンローラは、プリンタ装置のフレームのフレーム側面とプラテンローラを取り外すためのプラテンリリースレバーのレバー側面により支持されており、プラテンリリースレバーを動かすことにより、プラテンローラを取り外すことができる。この際、プラテンローラを容易に取り外すことができないと、メンテナンスや記録紙を補充する際に支障となり、プリンタ装置を使用する際に手間がかかり、使い勝手が悪くなるため、好ましくない。
【０００６】
よって、プラテンリリースレバーを操作して、プラテンローラを取り外す際には、容易にプラテンローラを取り外すことのできるプリンタ装置が求められている。
【課題を解決するための手段】
【０００７】
本実施の形態の一観点によれば、記録紙に印字を行うプリントヘッドと、前記記録紙を搬送するプラテンローラと、前記プリントヘッド及び前記プラテンローラが設置される、フレーム板部と、前記フレーム板部の両側に設けられたフレーム側面とを有するフレームと、前記フレーム板部に、前記フレーム側面の外側に向けて回動可能に取り付けられる、前記プラテンローラを支持するリリースレバーと、を有し、前記プラテンローラは、前記フレーム側面に形成されたフレーム溝及び前記リリースレバーにより支持され、前記リリースレバーを前記フレーム側面に対して外側に広がる方向に回動させることにより、前記フレーム溝より前記プラテンローラを外すことができることを特徴とする。
【発明の効果】
【０００８】
本発明によれば、プリンタ装置において、プラテンリリースレバーを操作して、プラテンローラを取り外す際には、容易にプラテンローラを取り外すことができる。
【図面の簡単な説明】
【０００９】
【図１】プリンタ装置の斜視図
【図２】プリンタ装置におけるプラテンローラの説明図
【図３】プリンタ装置の説明図（１）
【図４】プリンタ装置の説明図（２）
【図５】プリンタ装置の説明図（３）
【図６】プリンタ装置の説明図（４）
【図７】第１の実施の形態におけるプリンタ装置の斜視図
【図８】第１の実施の形態のプリンタ装置におけるプラテンローラの説明図
【図９】第１の実施の形態におけるプリンタ装置のフレームの側面図
【図１０】第１の実施の形態におけるプリンタ装置のフレームの正面図
【図１１】第１の実施の形態におけるプリンタ装置のリリースレバーの斜視図
【図１２】第１の実施の形態におけるプリンタ装置の側面図
【図１３】第１の実施の形態におけるプリンタ装置の正面図（１）
【図１４】第１の実施の形態におけるプリンタ装置の上面図（１）
【図１５】第１の実施の形態におけるプリンタ装置の正面図（２）
【図１６】第１の実施の形態におけるプリンタ装置の上面図（２）
【図１７】第１の実施の形態におけるプリンタ装置の上面図（３）
【図１８】第１の実施の形態におけるプリンタ装置の正面図（３）
【図１９】第１の実施の形態におけるプリンタ装置の上面図（４）
【図２０】第２の実施の形態におけるプリンタ装置のフレームの側面図
【図２１】第２の実施の形態におけるプリンタ装置のリリースレバーの斜視図
【図２２】第２の実施の形態におけるプリンタ装置の側面図
【図２３】第２の実施の形態におけるプリンタ装置の正面図（１）
【図２４】第２の実施の形態におけるプリンタ装置の上面図（１）
【図２５】第２の実施の形態におけるプリンタ装置の正面図（２）
【図２６】第２の実施の形態におけるプリンタ装置の上面図（２）
【図２７】第２の実施の形態におけるプリンタ装置の上面図（３）
【図２８】第２の実施の形態におけるプリンタ装置の正面図（３）
【図２９】第２の実施の形態におけるプリンタ装置の上面図（４）
【図３０】第３の実施の形態におけるプリンタ装置のフレームの側面図
【図３１】第３の実施の形態におけるプリンタ装置のリリースレバーの斜視図
【図３２】第４の実施の形態におけるプリンタ装置のフレームの側面図
【図３３】第４の実施の形態におけるプリンタ装置のリリースレバーの斜視図
【図３４】第５の実施の形態におけるプリンタ装置の説明図（１）
【図３５】第５の実施の形態におけるプリンタ装置の説明図（２）
【図３６】第５の実施の形態におけるプリンタ装置の説明図（３）
【図３７】第６の実施の形態におけるプリンタ装置の説明図（１）
【図３８】第６の実施の形態におけるプリンタ装置の説明図（２）
【図３９】第６の実施の形態におけるプリンタ装置の説明図（３）
【図４０】第６の実施の形態におけるプリンタ装置の説明図（４）
【発明を実施するための形態】
【００１０】
本発明を実施するための形態について、以下に説明する。尚、同じ部材等については、同一の符号を付して説明を省略する。
【００１１】
〔第１の実施の形態〕
最初に、サーマルヘッドを用いたプリンタ装置について、図１から図６に基づき説明する。このプリンタ装置は、図１に示されるように、サーマルヘッド９１０とプラテンローラ９２０とを有しており、サーマルヘッド９１０とプラテンローラ９２０との間に挟まれた不図示の記録紙をプラテンローラ９２０の回転により搬送しながら、サーマルヘッド９１０により印字を行うものである。
【００１２】
図２（ａ）は、プラテンローラ９２０の斜視図であり、図２（ｂ）は、プラテンローラ９２０の分解斜視図である。プラテンローラ９２０は、図２に示されるように、ローラ部９２１の両側にプラテンシャフト９２２が設けられており、プラテンシャフト９２２にはプラテンキャップ９２３が被せられている。また、プラテンローラ９２０の一方の側のプラテンシャフト９２２にはギア９２４が接続されている。このプリンタ装置においては、サーマルヘッド９１０により印字がなされる際には、不図示の搬送用モータの回転がプラテンローラ９２０におけるギア９２４に伝達され、ギア９２４が回転することにより、プラテンローラ９２０により不図示の記録紙を搬送しながら、サーマルヘッド９１０による印字がなされる。
【００１３】
図３（ａ）はフレーム９３０の側面図であり、図３（ｂ）はフレーム９３０の斜視図である。
【００１４】
フレーム９３０は、図３に示されるように、両側にフレーム側面９３１を有している。フレーム側面９３１にはプラテンローラ９２０を設置するためのフレーム溝９３２が設けられている。また、フレーム側面９３１には、後述する回転軸部９５１を入れるための開口穴９３３が設けられている。
【００１５】
図４（ａ）はリリースレバー９４０の側面図であり、図４（ｂ）は斜視図である。図５はプリンタ装置の側面図であり、図６はフレーム９３０を取り除いた状態の側面図である。リリースレバー９４０は、図４に示されるように、両側にレバー側面９４１を有している。レバー側面９４１にはプラテンローラ９２０を支持するためのレバー溝９４２が設けられている。また、リリースレバー９４０には、回転軸部９５１を入れるための開口穴９４４が設けられている。リリースレバー９４０は、図５及び図６に示されるように、回転軸部９５１を中心に回転することができる状態でフレーム９３０に接続されており、レバー操作部９４３に被せられているレバーキャップ９４５を押し下げることにより、回転軸部９５１を中心に回転させることができる。
【００１６】
このプリンタ装置においては、プラテンローラ９２０のプラテンキャップ９２３が、フレーム９３０のフレーム側面９３１におけるフレーム溝９３２とリリースレバー９４０のレバー側面９４１におけるレバー溝９４２とに入れられており、プラテンローラ９２０が所定の位置に回転可能な状態で設置されている。
【００１７】
回転軸部９５１の周囲にはねじりコイルバネ９５２が設けられている。ねじりコイルバネ９５２の一方の端部９５２ａはフレーム側面９３１に接続されており、他方の端部９５２ｂはリリースレバー９４０に接続されている。従って、リリースレバー９４０のレバーキャップ９４５を下に押し下げた場合には、リリースレバー９４０は回転軸部９５１を中心に回転するが、レバーキャップ９４５を押し下げている力がなくなると、ねじりコイルバネ９５２の復元力によりリリースレバー９４０が元の状態に戻る。
【００１８】
また、図６に示されるように、サーマルヘッド９１０とフレーム９３０との間には、コイルバネ９６０が設置されており、サーマルヘッド９１０は、コイルバネ９６０の復元力によりプラテンローラ９２０が設置されている方向に押されている。
【００１９】
フレーム溝９３２は、図３等に示されるようにＵ字状に形成されており、サーマルヘッド９１０が設けられている側の支持部９３２ａと、サーマルヘッド９１０が設けられている側とは反対側、即ち、支持部９３２ａに対向する側の支持部９３２ｂとを有している。フレーム溝９３２は、コイルバネ９６０の復元力が働く方向と略垂直な方向に開いており、プラテンキャップ９２３は、支持部９３２ａと支持部９３２ｂに入れられる。
【００２０】
また、図４等に示されるように、レバー溝９４２も、略Ｕ字状に形成されており、サーマルヘッド９１０が設けられている側の支持部９４２ａと、サーマルヘッド９１０が設けられている側とは反対側、即ち、支持部９４２ａに対向する側の支持部９４２ｂとを有している。プラテンキャップ９２３は、支持部９４２ａと支持部９４２ｂとのに入いる。このプリンタ装置においては、フレーム溝９３２に入れられているプラテンキャップ９２３が、支持部９４２ｂにより上から覆うように押さえられているため、プラテンローラ９２０がフレーム溝９３２から抜けることなく、所定の位置に設置することができる。
【００２１】
このようなプリンタ装置において、レバーキャップ９４５を押し下げることにより、リリースレバー９４０を回転軸部９５１を中心に回転させ、プラテンキャップ９２３を上から覆っていた支持部９４２ｂが動き、フレーム溝９３２の上部が解放される。このように、レバー側面９４１の支持部９４２ｂが動き、フレーム溝９３２の上部が解放され、プラテンローラ９２０を取り外すことが可能にはなるものの、コイルバネ９６０の復元力の働く方向と、プラテンローラ９２０の外される方向とは、略直角であるため、フレーム溝９３２よりプラテンローラ９２０を取り外す際に、時間や手間を要し、使い勝手が悪い。
【００２２】
（プリンタ装置）
次に、第１の実施の形態におけるプリンタ装置について、図７から図１２に基づき説明する。本実施の形態におけるプリンタ装置は、図７に示されるように、サーマルヘッド１０とプラテンローラ２０とを有しており、サーマルヘッド１０とプラテンローラ２０との間に挟まれた不図示の記録紙をプラテンローラ２０の回転により搬送しながら、サーマルヘッド１０により印字を行うものである。
【００２３】
本実施の形態におけるプリンタ装置は、サーマルヘッド１０とフレーム３０との間にコイルバネ６０が設置されており、サーマルヘッド１０は、コイルバネ６０の復元力により、プラテンローラ２０が設置されている方向に押されている。
【００２４】
図８（ａ）は、プラテンローラ２０の斜視図であり、図８（ｂ）は、プラテンローラ２０の分解斜視図である。プラテンローラ２０は、図８に示されるように、ローラ部２１の両側にプラテンシャフト２２が設けられており、プラテンシャフト２２には、プラテンキャップ２３が被せられている。プラテンローラ２０の一方の側のプラテンシャフト２２にはギア２４が接続されており、ギア２４の外側にプラテンキャップ２３が被せられている。本実施の形態によるプリンタ装置においては、サーマルヘッド１０により印字がなされる際には、不図示の搬送用モータの回転がプラテンローラ２０におけるギア２４に伝達され、ギア２４を介してプラテンローラ２０が回転することにより、プラテンローラ２０により不図示の記録紙を搬送しながら、サーマルヘッド１０による印字がなされる。
【００２５】
フレーム３０は、図９及び図１０に示されるように、板状のフレーム板部３１の両側の各々にフレーム側面３２を有しており、フレーム側面３２にはプラテンローラ２０を設置するためのフレーム溝３３が設けられている。フレーム溝３３はＵ字状に形成されており、上側に形成された支持部３３ａと、下側、即ち、支持部３３ａに対向する側に形成された支持部３３ｂとを有している。
【００２６】
フレーム側面３２の面は、フレーム板部３１の面と略垂直となるように形成されている。また、サーマルヘッド１０の長手方向及びプラテンローラ２０の軸方向は、フレーム板部３１の面と略平行となるようにフレーム３０に設置されるため、プラテンローラ２０は、プラテンローラ２０の軸方向とフレーム側面３２の面とが略垂直となるように設置される。
【００２７】
フレーム溝３３はコイルバネ６０の復元力の働く方向に開いており、プラテンローラ２０におけるプラテンキャップ２３は、支持部３３ａと支持部３３ｂとの間に入れられる。
【００２８】
また、図９に示されるように、フレーム３０のフレーム側面３２よりも外側のフレーム板部３１には、後述するリリースレバー４０に設けられた回動軸部４２が入る円形の開口部３５が設けられている。また、フレーム側面３２よりも内側のフレーム板部３１には、後述するねじりコイルバネ５０の一方の端部５０ａが入るバネ穴３６が設けられている。
【００２９】
図１１に示されるリリースレバー４０は、フレーム３０の両側に各々設けられたフレーム側面３２の外側に各々設置されている。従って、本実施の形態におけるプリンタ装置においては、図１１に示される構造のリリースレバー４０は、フレーム３０の両側に一つずつ、合わせて二つ設置されており、一対のリリースレバーを構成している。
【００３０】
図１２はプラテンローラがフレームに取り付けられている状態の本実施の形態におけるプリンタ装置の側面図であり、図１３は正面図であり、図１４は上面図である。
【００３１】
図１１及び図１２に示されるように、リリースレバー４０は板状に形成されており、フレーム３０に設置されたプラテンローラ２０を支持するための支持部４１が設けられている。また、リリースレバー４０の一方の端部には回動軸部４２が設けられており、他方の端部にはレバーキャップ４３が取り付けられている。従って、リリースレバー４０において、支持部４１は、回動軸部４２とレバーキャップ４３との間に形成されている。また、リリースレバー４０には、後述するねじりコイルバネ５０の他方の端部５０ｂが入るバネ穴４６が設けられている。
【００３２】
本実施の形態におけるプリンタ装置においては、プラテンローラ２０に取り付けられたプラテンキャップ２３が、フレーム側面３２に設けられたフレーム溝３３に入れられた状態で、リリースレバー４０に設けられた支持部４１により支持されることにより、プラテンローラ２０がフレーム３０に設置されている。
【００３３】
図１２に示すように、リリースレバー４０に設けられた支持部４１は、サーマルヘッド１０が設けられている側とは反対側において、プラテンキャップ２３を支持している。即ち、プラテンキャップ２３は、コイルバネ６０の復元力に抗して支持部４１により支持されている。
【００３４】
本実施の形態においては、プラテンキャップ２３は、コイルバネ６０の復元力が働く方向と垂直な方向では、フレーム溝３３の支持部３３ａと支持部３３ｂにより支持されている。また、コイルバネ６０の復元力が働く方向においては、リリースレバー４０の支持部４１により支持されている。これにより、プラテンローラ２０を、フレーム溝３３から抜けることなく、フレーム３０に設置することができる。
【００３５】
本実施の形態におけるプリンタ装置においては、図１２から図１４に示されるように、各々のリリースレバー４０の回動軸部４２は、フレーム３０に設けられた開口部３５に入れられており、リリースレバー４０は回動軸部４２を中心に図示「動作方向」に回動させることができる。また、ねじりコイルバネ５０の一方の端部５０ａはフレーム３０に設けられたバネ穴３６に入れられており、他方の端部５０ｂはリリースレバー４０におけるバネ穴４６に入れられている。ねじりコイルバネ５０の復元力は、フレーム側面３２の側にリリースレバー４０が押さえ付けられる方向に働いている。即ち、ねじりコイルバネ５０の復元力は、フレーム側面３２にリリースレバー４０が引き寄せられる方向に働いている。リリースレバー４０を回動させていない状態においては、リリースレバー４０の面は、フレーム側面３２と略平行となっている。
【００３６】
図１５は、各々のリリースレバー４０の間隔が広がる方向にレバーキャップ４３に力を加えた状態の正面図であり、図１６は上面図である。また、図１７は各々のリリースレバー４０の間隔が広がる方向にレバーキャップ４３に力を加え、プラテンローラ２０をフレームから取り外した状態の上面図である。図１８は、プラテンローラ２０が取り外されている状態のプリンタ装置の正面図であり、図１９は上面図である。尚、図１８及び図１９では、リリースレバーは図１３及び図１４と同じ位置にある。
【００３７】
本実施の形態におけるプリンタ装置において、プラテンローラ２０を取り外す際には、図１５から図１７に示すように、一対のリリースレバー４０の支持部４１の間隔が広がる方向に、レバーキャップ４３に力を加える。具体的には、プラテンローラ２０の軸方向の支持部４１の間隔が広がる方向にレバーキャップ４３に力を加えることにより、リリースレバー４０は回動軸部４２を中心に回動し、一対のリリースレバー４０の支持部４１同士の間隔が広がる。このようにリリースレバー４０を回動することにより、支持部４１が、プラテンローラ２０のプラテンキャップ２３よりも外側まで広がり、プラテンキャップ２３と支持部４１とが接触していない状態となり、プラテンローラ２０を取り外すことができる。
【００３８】
本実施の形態におけるプリンタ装置においては、一対のリリースレバー４０の支持部４１をそれぞれプラテンキャップ２３よりも外側まで広げることにより、フレーム溝３３のコイルバネ６０の復元力の働く方向（図１２図示左方向）が解放される。これにより、コイルバネ６０の復元力によりプラテンローラ２０がフレーム３０の外に押され、フレーム溝３３よりプラテンローラ２０を容易に取り外すことができる。
【００３９】
〔第２の実施の形態〕
次に、第２の実施の形態について説明する。本実施の形態は、リリースレバーがフレームに対してスライドして動く構造のものである。本実施の形態におけるプリンタ装置について、図２０から図２９に基づき説明する。
【００４０】
フレーム１３０は、板状のフレーム板部３１の両側の各々に、図２０に示すフレーム側面１３２を有している。フレーム側面１３２にはプラテンローラ２０を設置するためのフレーム溝３３が設けられている。フレーム溝３３はＵ字状に形成されており、上側の支持部３３ａと、下側、即ち、支持部３３ａに対向する側の支持部３３ｂとを有している。
【００４１】
フレーム側面１３２の面は、フレーム板部３１の面と略垂直となるように形成されている。また、第１の実施形態と同様、プラテンローラ２０は、プラテンローラ２０の軸方向とフレーム側面１３２の面とが略垂直となるようにフレーム１３０に設置される。
【００４２】
フレーム溝３３は、サーマルヘッド１０を押圧する不図示のコイルバネの復元力の働く方向に開いており、プラテンローラ２０におけるプラテンキャップ２３は、支持部３３ａと支持部３３ｂとの間に入れられる。
【００４３】
また、フレーム側面１３２には、後述するリリースレバー１４０に設けられたスライド軸部１４２が入る開口部１３５が設けられており、更に、図２３等に示されるように、後述するねじりコイルバネ１５０の一方の端部１５０ａが入るバネ穴１３６が設けられている。
【００４４】
図２１に示されるリリースレバー１４０は、フレーム１３０の両側に各々設けられたフレーム側面１３２の外側に各々設置されている。従って、本実施の形態におけるプリンタ装置においては、図２１に示される構造のリリースレバー１４０は、フレーム１３０の両側に一つずつ、合わせて二つ設置されており、一対のリリースレバーを構成している。
【００４５】
リリースレバー１４０は板状に形成されており、フレーム１３０に設置されたプラテンローラ２０を支持するための支持部１４１が設けられている。また、リリースレバー１４０のフレーム側面１３２と接する面には、フレーム側面１３２の側に出っ張ったスライド軸部１４２が設けられている。リリースレバー１４０には、レバーキャップ４３が取り付けられており、また、後述するねじりコイルバネ１５０の他方の端部１５０ｂが入るバネ穴１４６が設けられている。
【００４６】
図２２は本実施の形態におけるプリンタ装置の側面図であり、図２３は正面図であり、図２４は上面図である。
【００４７】
図２２に示されるように、本実施の形態におけるプリンタ装置においては、プラテンローラ２０に取り付けられたプラテンキャップ２３が、フレーム側面１３２に設けられたフレーム溝３３に入れられた状態で、リリースレバー１４０に設けられた支持部１４１により支持されることにより設置されている。
【００４８】
リリースレバー１４０に設けられた支持部１４１は、サーマルヘッド１０が設けられている側とは反対側において、プラテンキャップ２３を支持している。即ち、プラテンキャップ２３は、不図示のコイルバネの復元力により支持部１４１に向けて押圧され、支持部１４１により支持されている。
【００４９】
本実施の形態においては、プラテンキャップ２３は、不図示のコイルバネの復元力が働く方向と垂直な方向では、フレーム溝３３の支持部３３ａと支持部３３ｂにより支持されている。また、不図示のコイルバネの復元力が働く方向においては、リリースレバー１４０の支持部１４１により支持されている。これにより、プラテンローラ２０をフレーム溝３３から抜けることなく、所定の位置となるように設置することができる。
【００５０】
本実施の形態におけるプリンタ装置では、図２３及び図２４に示されるように、各々のリリースレバー１４０のスライド軸部１４２は、フレーム側面１３２に設けられた開口部１３５に入れられており、フレーム側面１３２に設けられた開口部１３５にスライド軸部１４２が入れられた状態で、フレーム側面１３２に対しリリースレバー１４０をスライドして移動させることができる。
【００５１】
また、ねじりコイルバネ１５０の一方の端部１５０ａは、フレーム１３０に設けられたバネ穴１３６に入れられており、他方の端部１５０ｂは、リリースレバー１４０におけるバネ穴１４６に入れられている。よって、ねじりコイルバネ１５０の復元力は、フレーム側面１３２の側にリリースレバー１４０が押さえ付けられる方向に働いている。即ち、ねじりコイルバネ１５０の復元力は、フレーム側面１３２にリリースレバー１４０が引き寄せられる方向に働いている。リリースレバー１４０を操作していない状態においては、リリースレバー１４０は、フレーム側面１３２と略平行となっている。
【００５２】
図２５は、本実施の形態におけるプリンタ装置において、各々のリリースレバー１４０の間隔が広がる方向にレバーキャップ４３に力を加えた状態の正面図であり、図２６は上面図である。また、図２７はレバーキャップ４３に力を加えてプラテンローラ２０を取り外した状態における上面図である。図２８は、プラテンローラ２０が取り外されている状態におけるプリンタ装置の正面図であり、図２９は上面図である。
【００５３】
本実施の形態におけるプリンタ装置において、プラテンローラ２０を取り外す際には、図２５から図２７に示すように、一対のリリースレバー１４０の支持部１４１の間隔が広がる方向に、レバーキャップ４３に力を加える。即ち、リリースレバー１４０がフレーム側面１３２から離れる方向にレバーキャップ４３に力を加えることにより、スライド軸部１４２がフレーム側面１３２の開口部１３５内に入れられている状態でリリースレバー１４０をスライドさせることができ、各々のリリースレバー１４０の支持部１４１が外側に移動する。このようにリリースレバー１４０をスライドさせることにより、リリースレバー１４０の支持部１４１がプラテンキャップ２３よりも外側の位置まで移動し、プラテンキャップ２３と支持部１４１とが接触していない状態となり、プラテンローラ２０を取り外すことができる。
【００５４】
本実施の形態におけるプリンタ装置においては、一対のリリースレバー１４０における支持部１４１の間隔をプラテンローラ２０におけるプラテンキャップ２３よりも外側まで広げることにより、フレーム溝３３において、不図示のコイルバネの復元力の働く方向が解放される。これにより、不図示のコイルバネの復元力の働く方向が解放されるため、不図示のコイルバネの復元力により、プラテンローラ２０が押され、フレーム溝３３よりプラテンローラ２０を容易に取り外すことができる。
【００５５】
尚、上記以外の内容については、第１の実施の形態と同様である。
【００５６】
〔第３の実施の形態〕
次に、第３の実施の形態について説明する。本実施の形態は、第２の実施の形態において、スライド軸部を複数設けた構造のものである。
【００５７】
図３０に示されるように、本実施の形態におけるフレーム１３０のフレーム側面１３２には、後述するリリースレバー１４０に設けられているスライド軸部１４２ａが入る開口部１３５ａと、スライド軸部１４２ｂが入る開口部１３５ｂとが設けられている。また、図３１に示されるように、リリースレバー１４０のフレーム側面１３２と接する面には、フレーム側面１３２の側に出っ張ったスライド軸部１４２ａ、１４２ｂが設けられている。
【００５８】
本実施の形態においては、リリースレバー１４０のスライド軸部１４２ａがフレーム１３０のフレーム側面１３２に形成された開口部１３５ａに入れられる。このため、スライド軸部１４２ｂがフレーム側面１３２の開口部１３５ｂに入れられた状態で、リリースレバー１４０をフレーム側面１３２に対してスライドして移動させることができる。
【００５９】
第２の実施の形態のようにリリースレバー１４０に設けたスライド軸部１４２が１つの場合には、フレーム側面１３２に対しリリースレバー１４０がスライド軸部１４２を中心に回転してしまう可能性がある。これに対し、本実施の形態においては、リリースレバー１４０にスライド軸部を複数設けることにより、このようなリリースレバー１４０の回転を防ぐことができる。
【００６０】
尚、上記以外の内容については、第２の実施の形態と同様である。
【００６１】
〔第４の実施の形態〕
次に、第４の実施の形態について説明する。本実施の形態は、第２の実施の形態において、スライド軸部の断面形状が長細い形状となるように形成したものである。
【００６２】
図３２に示されるように、本実施の形態におけるフレーム１３０のフレーム側面１３２は、後述するリリースレバー１４０に設けられているスライド軸部１４２ｃが入る開口部１３５ｃが設けられている。また、図３３に示されるように、リリースレバー１４０のフレーム側面１３２と接する面には、フレーム側面１３２の側に出っ張ったスライド軸部１４２ｃが設けられている。フレーム側面１３２に設けられた開口部１３５ｃは、リリースレバー１４０のスライド軸部１４２ｃの断面に対応した形状により形成されており、縦と横の長さが異なる長細い形状により形成されている。
【００６３】
本実施の形態においては、リリースレバー１４０のスライド軸部１４２ｃがフレーム１３０のフレーム側面１３２に形成された開口部１３５ｃに入れられた状態で、リリースレバー１４０をフレーム側面１３２に対してスライドして移動させることができる。
【００６４】
このように、本実施の形態においては、開口部１３５ｃと、リリースレバー１４０に設けたスライド軸部１４２ｃの断面とを、それぞれ縦と横の長さが異なるように長細い形状により形成することにより、フレーム側面１３２に対しリリースレバー１４０がスライド軸部を中心に回転してしまうことを防ぐことができる。
【００６５】
尚、本実施の形態においては、開口部１３５ｃ及びスライド軸部１４２ｃの断面の形状は、円形以外の形状であれば、どのような形状であってもよく、例えば、正方形であってもよい。しかしながら、本実施の形態においては、上述したように、開口部１３５ｃ及びスライド軸部１４２ｃの断面の形状は、直交する縦と横の長さが異なるように形成されていることが、より好ましい。
【００６６】
尚、上記以外の内容については、第２の実施の形態と同様である。
【００６７】
〔第５の実施の形態〕
次に、第５の実施の形態について説明する。本実施の形態は、リリースレバーがフレームの一方の側のみに設けられている構造のものである。よって、本実施の形態におけるプリンタ装置においては、リリースレバーが一つしか設けられていない。
【００６８】
図３４は、本実施の形態におけるプリンタ装置において、プラテンローラ２０が設置されている状態を示す斜視図であり、図３５は、プラテンローラ２０が取り外されている状態を示す斜視図である。
【００６９】
本実施の形態におけるプリンタ装置では、図３４及び図３５に示されるように、フレーム２３０には、一方のフレーム側面３２と他方のフレーム側面２３２との２つのフレーム側面が形成されている。他方のフレーム側面２３２には、プラテンローラ２０の端部が入れられる軸受部２３３が形成されている。
【００７０】
本実施の形態においては、プラテンローラ２０の一方の端部は、プラテンキャップ２３が、第１の実施の形態と同様に、フレーム２３０の一方のフレーム側面３２とリリースレバー４０により支持されている。
【００７１】
プラテンローラ２０は、図３６に示されるように、一端部が他方のフレーム側面２３２に設けられた軸受部２３３に入れられた状態で、プラテンローラ２０の他方端部がフレーム側面３２とリリースレバー４０により保持されている。
【００７２】
本実施の形態におけるプリンタ装置においては、第１の実施の形態と同様に、リリースレバー４０に設けられたレバーキャップ４３に力を加え、リリースレバー４０の支持部４１をプラテンキャップ２３の外側となるまでリリースレバー４０を回動させることにより、プラテンローラ２０をフレーム２３０から取り外すことができる。従って、本実施の形態におけるプリンタ装置は、フレーム３０の一方の側に設けられた１つのリリースレバー４０を操作することにより、プラテンローラ２０を取り外すことができる。
【００７３】
尚、上記以外の内容については、第１の実施の形態と同様である。また、第２の実施の形態のプリンタ装置についても、同様にフレームの一方の側にのみスライド可能なリリースレバーを設ける対応とすることができる。
【００７４】
〔第６の実施の形態〕
次に、第６の実施の形態について説明する。本実施の形態におけるプリンタ装置は、図３７に示されるように、第２の実施の形態におけるプリンタ装置において、リリースレバー１４０のレバーキャップ４３が取り付けられる部分を外側に曲げた構造のものである。このようにリリースレバー１４０においてレバーキャップ４３の取り付けられる位置が外側となるように曲げることにより、プラテンローラ２０を設置する際に、設置しやすくなる。
【００７５】
図３８に示されるように、プラテンローラ２０を、プラテンローラ２０が設置されていない状態でリリースレバー１４０に近づける。このように、プラテンローラ２０をリリースレバー１４０に近づけることにより、プラテンキャップ２３がレバーキャップ４３と接触し、図３９に示すようにプラテンキャップ２３によりレバーキャップ４３が「リリースレバー移動方向」に押され、ねじりコイルバネ１５０の復元力に抗してフレーム側面１３２とリリースレバー１４０との間隔が広がる。そして、図３９の状態から更にプラテンローラ２０をリリースレバー１４０に近づけることにより、プラテンキャップ２３によりレバーキャップ４３が押され、図４０に示すように、フレーム側面１３２とリリースレバー１４０との間隔が広がり、この状態のままプラテンキャップ２３がリリースレバー１４０の内側と接触しながら移動し、図３７に示されるように、プラテンローラ２０をフレーム１３０の所定の位置に設置することができる。即ち、プラテンローラ２０をフレーム側面１３２とリリースレバー１４０により保持することができる。
【００７６】
尚、上記以外の内容については、第２の実施の形態と同様である。また、本実施の形態は、第１の実施の形態におけるプリンタ装置にも適用可能である。
【００７７】
以上、本発明の実施に係る形態について説明したが、上記内容は、発明の内容を限定するものではない。
【符号の説明】
【００７８】
１０        サーマルヘッド
２０        プラテンローラ
２１        ローラ部
２２        プラテンシャフト
２３        プラテンキャップ
２４        ギア
３０        フレーム
３２        フレーム側面
３３        フレーム溝
３３ａ      支持部
３３ｂ      支持部
３５        開口部
３６        バネ穴
４０        リリースレバー
４１        支持部
４２        回動軸部
４３        レバーキャップ
４６        バネ穴
５０        ねじりコイルバネ
５０ａ      一方の端部
５０ｂ      他方の端部
６０        コイルバネ
【図１】
0006403483.tif 000002
【図２】
0006403483.tif 000003
【図３】
0006403483.tif 000004
【図４】
0006403483.tif 000005
【図５】
0006403483.tif 000006
【図６】
0006403483.tif 000007
【図７】
0006403483.tif 000008
【図８】
0006403483.tif 000009
【図９】
0006403483.tif 000010
【図１０】
0006403483.tif 000011
【図１１】
0006403483.tif 000012
【図１２】
0006403483.tif 000013
【図１３】
0006403483.tif 000014
【図１４】
0006403483.tif 000015
【図１５】
0006403483.tif 000016
【図１６】
0006403483.tif 000017
【図１７】
0006403483.tif 000018
【図１８】
0006403483.tif 000019
【図１９】
0006403483.tif 000020
【図２０】
0006403483.tif 000021
【図２１】
0006403483.tif 000022
【図２２】
0006403483.tif 000023
【図２３】
0006403483.tif 000024
【図２４】
0006403483.tif 000025
【図２５】
0006403483.tif 000026
【図２６】
0006403483.tif 000027
【図２７】
0006403483.tif 000028
【図２８】
0006403483.tif 000029
【図２９】
0006403483.tif 000030
【図３０】
0006403483.tif 000031
【図３１】
0006403483.tif 000032
【図３２】
0006403483.tif 000033
【図３３】
0006403483.tif 000034
【図３４】
0006403483.tif 000035
【図３５】
0006403483.tif 000036
【図３６】
0006403483.tif 000037
【図３７】
0006403483.tif 000038
【図３８】
0006403483.tif 000039
【図３９】
0006403483.tif 000040
【図４０】
0006403483.tif 000041